(57)【要約】【課題】定格出力電圧よりも低い電圧に調整する電圧調整回路部を備えつつ、過電圧保護回路の動作チェックを装置単体で可能とする。【解決手段】入力電圧Ｖｉを電圧変換して出力電圧Ｖｏを出力する電圧変換部４と、誤差増幅器１３、出力電圧Ｖｏを検出して検出電圧Ｖｖを出力する電圧検出部１１、および第１抵抗１２ａと第１基準電圧源１２ｂとで構成されて第１基準電圧Ｖｒ１を出力する第１直列回路１２を有する電圧安定回路部５と、両端間に第２基準電圧源２１から第２基準電圧Ｖｒ２が印加される可変抵抗２２ａおよび第２抵抗２２ｂの第２直列回路２２を有する電圧調整回路部６とを備え、誤差増幅器１３が、検出電圧Ｖｖと出力設定電圧Ｖｂ（接続点Ｐ１の調整電圧Ｖａと第１基準電圧Ｖｒ１の合成電圧）とから誤差電圧Ｖｅｒを出力し、電圧安定回路部５が誤差電圧Ｖｅｒに基づいて電圧変換部４を制御して、検出電圧Ｖｖを出力設定電圧Ｖｂに一致させる。【選択図】図１
2019106777.tif 000002
【特許請求の範囲】
【請求項１】
一対の入力端子間に入力される入力電圧を電圧変換して一対の出力端子間に直流出力電圧として出力する電圧変換部と、
誤差増幅器、前記直流出力電圧を予め規定された比率で低減して前記誤差増幅器の第１入力端子に検出電圧として出力する電圧検出部、および第１抵抗と第１基準電圧源が直列接続されて構成されて当該第１基準電圧源から出力される正の第１基準電圧を前記誤差増幅器の第２入力端子に出力する第１直列回路を有する電圧安定回路部と、
正の第２基準電圧を出力する第２基準電圧源、および可変抵抗と第２抵抗が直列接続されて構成されると共に両端間に当該可変抵抗側が高電位となる状態で前記第２基準電圧が印加される第２直列回路を有して、当該可変抵抗と当該第２抵抗との接続点に生じる調整電圧を前記誤差増幅器の前記第２入力端子に出力する電圧調整回路部とを備え、
前記誤差増幅器が、前記第１入力端子に入力される前記検出電圧と前記第２入力端子に入力される前記第１基準電圧および前記調整電圧の合成電圧との差分に応じて変化する誤差電圧を出力し、
前記電圧安定回路部は、前記検出電圧が前記合成電圧に一致するように、前記誤差電圧に基づいて前記電圧変換部における電圧変換動作を制御することにより、前記直流出力電圧を安定化させる電源装置。
【請求項２】
前記電圧変換部および前記電圧安定回路部は１つのモジュールとして構成され、
前記電圧調整回路部は、前記モジュールに設けられた出力電圧可変端子を介して前記第２入力端子に接続される請求項１記載の電源装置。
【発明の詳細な説明】
【技術分野】
【０００１】
本発明は、出力電圧を調整するための電圧調整回路部を備えている電源装置に関するものである。
【背景技術】
【０００２】
この種の電源装置として、本願出願人は下記の非特許文献１に開示された電源装置を既に提案している。この電源装置は、非特許文献１の図６−５に示されるように、入力電圧を出力電圧に電圧変換して出力端子＋Ｖ，−Ｖから出力する電圧変換部（ＤＣ−ＤＣモジュール（例えば、ＰＨ３００Ａ２８０−２８（定格出力電圧ＤＣ２８Ｖ）））、および電圧変換部の電圧調整端子（ＴＲＭ：出力電圧可変端子）とリモートセンシング端子＋Ｓ，−Ｓのうちのリモートセンシング端子−Ｓとの間に接続された電圧調整回路部（可変抵抗：Ｒａｄｊ）を備えている。
【０００３】
この電圧変換部は、非特許文献１の図６−９に示されるように、直列接続された状態でリモートセンシング端子＋Ｓ，−Ｓ間に接続された抵抗Ｒ１，Ｒ２（電圧検出部）、反転入力端子が抵抗Ｒ１，Ｒ２の接続点に接続された誤差増幅器（オペアンプ）、誤差増幅器の非反転入力端子とリモートセンシング端子−Ｓとの間に接続された抵抗（同図中では一例として、３２．４ｋΩ）、並びに直列接続された状態で誤差増幅器の非反転入力端子とリモートセンシング端子−Ｓとの間に接続された抵抗（同図中では一例として、７．３２ｋΩ）および基準電圧源（例えば、１〜２Ｖ程度（この製品では、ＤＣ１．２２５Ｖ）の直流電圧を出力する基準電圧源）を有する電圧安定回路部を備えている。この電圧安定回路部は、非反転入力端子に入力される電圧と反転入力端子に入力される電圧が一致するように（これら電圧の差分がゼロになるように）、誤差増幅器から誤差信号電圧を出力して電圧変換部に含まれる不図示のスイッチング素子のオン・オフ動作（電圧変換動作）を制御することにより、電圧変換部からの出力電圧を目標電圧で安定化させる。
【０００４】
また、非特許文献１の図６−５に開示された電源装置では、電圧調整回路部としての可変抵抗Ｒａｄｊの抵抗値（理解の容易のため、抵抗値Ｒａｄｊ［ｋΩ］ともいう）を変更することにより、誤差増幅器の非反転入力端子に入力される電圧を変更できることから、出力電圧を定格出力電圧ＤＣ２８Ｖよりも低い電圧範囲に含まれる任意の電圧に調整可能となっている。具体的には、この電源装置では、可変抵抗Ｒａｄｊの抵抗値Ｒａｄｊと出力電圧変化率Δ（％）との間に、非特許文献１の１３ページに記載されている次の関係式が成り立つ。
Ｒａｄｊ＝５．９７１×（１−Δ／１００）／（Δ／１００）［ｋΩ］
【０００５】
このため、この電源装置においては、電圧変換部についての出力電圧Ｖｏの定格を例えばＤＣ２８Ｖとしたときには、出力電圧Ｖｏ（＝２８−２８×Δ／１００）は、抵抗値Ｒａｄｊに対して図３に示されるように変化する。この図３から明らかなように、この電源装置では、出力電圧Ｖｏは、抵抗値ＲａｄｊがゼロΩに近づくにつれて低くなり、抵抗値ＲａｄｊをゼロΩから増加させるにつれて急速に上昇し、その後、その上昇率が緩やかに減少しつつ、上限値としての定格出力電圧ＤＣ２８Ｖに漸近する。
【先行技術文献】
【非特許文献】
【０００６】
【非特許文献１】ＴＤＫラムダ株式会社、”ＰＨ−Ａ２８０シリーズ  取扱説明書”、［ｏｎｌｉｎｅ］、Ｐ１３−Ｐ１５、［２０１７年１１月９日検索］、インターネット＜ＵＲＬ：http://www.tdk-lambda.co.jp/products/sps/ps_pm/ph-a280/pdf/ph_a280_apl_j.pdf＞
【発明の概要】
【発明が解決しようとする課題】
【０００７】
ところで、この電源装置には、過電圧保護回路が設けられていて、例えば出荷前の品質チェック工程において、この過電圧保護回路が正常に動作するかをチェックしている。通常、過電圧保護回路は、出力電圧が定格出力電圧（この例ではＤＣ２８Ｖ）に対して十分に高い電圧（例えば、定格出力電圧の１．３倍〜１．５倍以上の電圧）に達したときに動作するように構成されていることから、上記したような出力電圧を定格出力電圧ＤＣ２８Ｖよりも低い電圧に調整する電圧調整回路部を備えた構成では、電源装置単体での過電圧保護回路の動作チェックは難しい。
【０００８】
このため、従来は、例えば、上記のような高い電圧を出力させ得る電圧出力装置を別途用意しておき、この電圧出力装置から出力される電圧を電源装置の出力端子間に印加することで、過電圧保護回路の動作チェックを行っている。
【０００９】
しかしながら、上記の電圧出力装置を別途用意するのは、コストがかかったり、手間であることから、過電圧保護回路の動作チェックを電源装置単体で行えるようにすることが望まれている。
【００１０】
本発明は、かかる課題を解決するためになされたものであり、定格出力電圧よりも低い電圧に調整するための電圧調整回路部を備えつつ、過電圧保護回路の動作チェックを装置単体で行い得る電源装置を提供することを主目的とする。
【課題を解決するための手段】
【００１１】
上記目的を達成すべく、本発明に係る電源装置は、一対の入力端子間に入力される入力電圧を電圧変換して一対の出力端子間に直流出力電圧として出力する電圧変換部と、誤差増幅器、前記直流出力電圧を予め規定された比率で低減して前記誤差増幅器の第１入力端子に検出電圧として出力する電圧検出部、および第１抵抗と第１基準電圧源が直列接続されて構成されて当該第１基準電圧源から出力される正の第１基準電圧を前記誤差増幅器の第２入力端子に出力する第１直列回路を有する電圧安定回路部と、正の第２基準電圧を出力する第２基準電圧源、および可変抵抗と第２抵抗が直列接続されて構成されると共に両端間に当該可変抵抗側が高電位となる状態で前記第２基準電圧が印加される第２直列回路を有して、当該可変抵抗と当該第２抵抗との接続点に生じる調整電圧を前記誤差増幅器の前記第２入力端子に出力する電圧調整回路部とを備え、前記誤差増幅器が、前記第１入力端子に入力される前記検出電圧と前記第２入力端子に入力される前記第１基準電圧および前記調整電圧の合成電圧との差分に応じて変化する誤差電圧を出力し、前記電圧安定回路部は、前記検出電圧が前記合成電圧に一致するように、前記誤差電圧に基づいて前記電圧変換部における電圧変換動作を制御することにより、前記直流出力電圧を安定化させる。
【００１２】
これにより、第２基準電圧源および第２直列回路を含んで構成された電圧調整回路部におけるこの第２直列回路を構成する可変抵抗の抵抗値を調整することで、電圧安定回路部内の誤差増幅器の第２入力端子に印加される合成電圧を調整可能にしたことにより、直流出力電圧を定格出力電圧よりも低い電圧範囲内の任意の電圧に設定し得るようにしつつ、電源装置に設けられている過電圧保護回路の動作チェックの際には、可変抵抗の抵抗値を一時的にゼロΩまたはその近傍の値まで小さくするだけで、直流出力電圧を定格出力電圧よりも十分に高い電圧に上昇させて、過電圧保護回路の動作チェックを実行することができる。
【００１３】
また、本発明に係る電源装置は、前記電圧変換部および前記電圧安定回路部は１つのモジュールとして構成され、前記電圧調整回路部は、前記モジュールに設けられた出力電圧可変端子を介して前記第２入力端子に接続される。
【００１４】
これにより、電圧調整回路部のみを調整すれば、出力電圧可変端子を介して電圧安定回路部に出力設定電圧を印加することができるため、１つにモジュール化された電圧変換部や電圧安定回路部を設計変更することなく、出力電圧を容易に調整することができる。
【発明の効果】
【００１５】
この電源装置によれば、電源装置単体で過電圧保護回路の動作チェックを実行することができるため、従来の電源装置とは異なり、過電圧保護回路の動作チェックを実行するための電圧出力装置を別途用意する手間を省くことができる。
【図面の簡単な説明】
【００１６】
【図１】電源装置１の構成を示す構成図である。
【図２】図１の可変抵抗２２ａの抵抗値Ｒａｄｊを変化させたときの出力電圧Ｖｏを示す出力特性図である。
【図３】従来の電源装置において抵抗値Ｒａｄｊを変化させたときの出力電圧Ｖｏを示す出力特性図である。
【発明を実施するための形態】
【００１７】
以下、電源装置の実施の形態について、図面を参照しつつ説明する。
【００１８】
最初に、電源装置の一例としての電源装置１の構成について図１を参照して説明する。この電源装置１は、一例として、一対の入力端子２ａ，２ｂ（以下、特に区別しないときには「入力端子２」ともいう）、一対の出力端子３ａ，３ｂ（以下、特に区別しないときには「出力端子３」ともいう）、電圧変換部４、電圧安定回路部５および電圧調整回路部６を備え、電圧変換部４から出力端子３に（具体的には、出力端子３に接続されている負荷ＬＤに）出力される出力電圧（直流出力電圧）Ｖｏを電圧調整回路部６で所望の目標電圧に調整可能に構成されている。なお、上記の電圧変換部４および電圧安定回路部５を有する装置はパワーモジュール（電圧変換部４および電圧安定回路部５を１つのモジュールとして構成したもの）として様々な仕様のものが販売されている（例えば、本願出願人が製造・販売しているＰＦＥシリーズ、ＰＡＨシリーズおよびＰＨ−Ａ２８０シリーズなどのパワーモジュール）。本例では一例として、電圧変換部４および電圧安定回路部５は、ＰＡＨシリーズと同等の構成を備えているものとして説明するが、電圧変換部４および電圧安定回路部５はこの構成に限定されるものではない。また、電圧変換部４および電圧安定回路部５は、その出力電圧Ｖｏの定格値（定格出力電圧）が一例としてＤＣ２８Ｖであるものとして説明するが、出力電圧Ｖｏの定格値はこれに限定されるものではない。
【００１９】
電圧変換部４は、少なくとも１つのスイッチング素子４ａを備えて、入力端子２を介して入力される入力電圧Ｖｉｎをこのスイッチング素子４ａでスイッチングして出力電圧Ｖｏに変換（電圧変換）すると共に、この出力電圧Ｖｏを、出力端子３ｂが接続された内部グランドＧの電位を基準とする電圧として出力端子３間に出力する。また、電圧変換部４は、入力電圧Ｖｉｎが交流電圧のときにはＡＣ−ＤＣコンバータとして構成されて出力電圧Ｖｏを出力し、また入力電圧Ｖｉｎが直流電圧のときにはＤＣ−ＤＣコンバータとして構成されて出力電圧Ｖｏを出力する。この場合、スイッチング素子４ａは、後述するスイッチング制御部１４から出力される後述の駆動信号Ｓｄにより、スイッチング動作する（オン・オフ動作する）。
【００２０】
電圧安定回路部５は、一例として、電圧検出部１１、第１直列回路１２、誤差増幅器１３、スイッチング制御部１４および過電圧保護回路１５を備え、スイッチング素子４ａをスイッチング動作させる駆動信号Ｓｄを出力して電圧変換部４に対する制御を実行することにより、出力電圧Ｖｏを目標電圧で安定化させる。また、電圧安定回路部５は、出力電圧Ｖｏが予め規定された上限電圧（定格出力電圧に対して十分に高い電圧（例えば、定格出力電圧の１．３倍〜１．５倍程度））を上回ったときには、過電圧保護回路１５がこの状態を検出して、電圧変換部４による電圧変換動作を停止させる。
【００２１】
電圧検出部１１は、一例として、直列接続された２つの抵抗１１ａ，１１ｂを有する抵抗分圧回路として構成されて、出力端子３間に接続されている。具体的には、電圧検出部１１は、抵抗１１ａの一端が内部グランドＧに接続され、かつ抵抗１１ｂの一端が出力端子３ａに接続されている。この構成により、電圧検出部１１は、出力端子３間に出力される出力電圧Ｖｏを検出すると共に、予め規定された比率で低減して（本例では、予め規定された比率で分圧して）、抵抗１１ａ，１１ｂの接続点（抵抗１１ａ，１１ｂのそれぞれの他端）から検出電圧Ｖｖ（出力電圧Ｖｏの電圧値に応じて電圧値が変化する電圧）を出力する。本例では、抵抗１１ａの抵抗値をＲ１１ａとし、抵抗１１ｂの抵抗値をＲ１１ｂとしたときに、電圧検出部１１は、Ｖｏ×Ｒ１１ａ／（Ｒ１１ａ＋Ｒ１１ｂ）の式で表される電圧を検出電圧Ｖｖとして出力する。また、電圧検出部１１は、この検出電圧Ｖｖを後述するようにオペアンプで構成される誤差増幅器１３の第１入力端子（本例では反転入力端子）に出力する。
【００２２】
なお、電圧検出部１１は、上記したような抵抗分圧回路に限定されない。図示はしないが、例えば、出力電圧Ｖｏを検出して予め規定された比率で低減して検出電圧Ｖｏとして出力する増幅回路で構成することもできる。
【００２３】
第１直列回路１２は、第１抵抗１２ａ（抵抗値Ｒ１２ａ）と第１基準電圧源１２ｂとが直列接続されて構成されて、誤差増幅器１３の第２入力端子（本例では非反転入力端子）と内部グランドＧとの間に接続されている。本例では一例として、第１基準電圧源１２ｂは、低電位極が内部グランドＧに接続されて、内部グランドＧの電位を基準とする第１基準電圧Ｖｒ１（正電圧）を出力する。また、この第１基準電圧Ｖｒ１は、第１基準電圧源１２ｂの高電位極に接続された第１抵抗１２ａを介して誤差増幅器１３の非反転入力端子に印加（出力）されるが、本例では、電圧調整回路部６から出力されて電圧安定回路部５のＴＲＭ端子（誤差増幅器１３の非反転入力端子に接続されている出力電圧可変端子）を介して入力される後述の調整電圧Ｖａと合成されて、合成電圧である出力設定電圧Ｖｂとしてこの非反転入力端子に印加（出力）される。このＴＲＭ端子は、電圧変換部４および電圧安定回路部５を含むモジュール（パワーモジュール）に設けられている。
【００２４】
第１基準電圧源１２ｂは、図示はしないが、例えば、出力電圧Ｖｏと内部グランドＧとの間に、ツェナー電流設定用の抵抗と直列接続された状態で配設されたツェナーダイオード（ツェナー電圧が第１基準電圧Ｖｒ１となるツェナーダイオード）で構成することができる。なお、本例の第１直列回路１２では、内部グランドＧ側に第１基準電圧源１２ｂが配設される構成を採用しているが、内部グランドＧ側に第１抵抗１２ａが配設される構成を採用することもできる。
【００２５】
誤差増幅器１３は、例えばオペアンプを用いて構成されて、反転入力端子に入力される検出電圧Ｖｖと非反転入力端子に入力される出力設定電圧Ｖｂとを比較して両電圧Ｖｖ，Ｖｂの差分に応じて変化する誤差電圧Ｖｅｒ（両電圧Ｖｖ，Ｖｂの差分に応じて電圧値が変化する電圧）を出力する。例えば、誤差増幅器１３は、検出電圧Ｖｖが出力設定電圧Ｖｂよりも低いときには、極性が正であって、両電圧Ｖｖ，Ｖｂの差分の絶対値に比例した電圧値で誤差電圧Ｖｅｒを出力し、一方、検出電圧Ｖｖが出力設定電圧Ｖｂよりも高いときには、極性が負であって、両電圧Ｖｖ，Ｖｂの差分の絶対値に比例した電圧値で誤差電圧Ｖｅｒを出力する。
【００２６】
なお、本例では、誤差増幅器１３を構成するオペアンプの検出電圧Ｖｖが入力される第１入力端子を反転入力端子とし、合成電圧としての出力設定電圧Ｖｂが入力される第２入力端子を非反転入力端子とする構成を採用しているが、これに限定されるものではなく、検出電圧Ｖｖが入力される第１入力端子をオペアンプの非反転入力端子とし、合成電圧としての出力設定電圧Ｖｂが入力される第２入力端子を反転入力端子とする構成を採用することもできる。
【００２７】
スイッチング制御部１４は、誤差増幅器１３から出力される誤差電圧Ｖｅｒに基づいて駆動信号Ｓｄを生成して、電圧変換部４のスイッチング素子４ａに出力することにより、検出電圧Ｖｖと出力設定電圧Ｖｂの差分を減少させるように（具体的には、検出電圧Ｖｖが出力設定電圧Ｖｂと一致するように）スイッチング素子４ａのスイッチング動作を制御する。
【００２８】
例えば、電圧変換部４がＰＷＭ（パルス幅変調）制御によって出力電圧Ｖｏを制御する構成であるときには、スイッチング制御部１４は、誤差電圧Ｖｅｒの極性が正のときには、駆動信号Ｓｄのデューティ比を誤差電圧Ｖｅｒの電圧値に応じて増加させ、誤差電圧Ｖｅｒの極性が負のときには、駆動信号Ｓｄのデューティ比を誤差電圧Ｖｅｒの電圧値に応じて減少させるという制御を駆動信号Ｓｄに対して実行することで、両電圧Ｖｖ，Ｖｂの差分が減少するようにスイッチング素子４ａのスイッチング動作を制御する。また、電圧変換部４がＰＦＭ（パルス周波数変調）制御によって出力電圧Ｖｏを制御する構成であるときには、スイッチング制御部１４は、誤差電圧Ｖｅｒの極性が正のときには、駆動信号Ｓｄの周波数を誤差電圧Ｖｅｒの電圧値に応じて増加させ、誤差電圧Ｖｅｒの極性が負のときには、駆動信号Ｓｄの周波数を誤差電圧Ｖｅｒの電圧値に応じて減少させるという制御を駆動信号Ｓｄに対して実行することで、両電圧Ｖｖ，Ｖｂの差分が減少するようにスイッチング素子４ａのスイッチング動作を制御する。
【００２９】
過電圧保護回路１５は、出力電圧Ｖｏを検出しつつ（本例では一例として図１に示すように、検出電圧Ｖｖを用いて出力電圧Ｖｏを検出する構成を採用しているが、この構成に限定されるものではない）、出力電圧Ｖｏが予め規定された上限電圧（定格出力電圧に対して十分に高い電圧（例えば、定格出力電圧の１．３倍〜１．５倍以上の電圧））を上回ったときには、電圧変換部４による電圧変換動作を停止させるなどの保護機能を動作させる。本例では一例として、過電圧保護回路１５は、スイッチング制御部１４に対する制御を実行して、駆動信号Ｓｄの生成を停止させることで、電圧変換部４による電圧変換動作を停止させる構成を採用しているが、この構成に限定されるものではない。
【００３０】
電圧調整回路部６は、第２基準電圧源２１、可変抵抗２２ａと第２抵抗２２ｂとを有する第２直列回路２２、および第３抵抗２３を備えて構成されている。また、本例では一例として、電圧調整回路部６は、電圧変換部４および電圧安定回路部５を含むモジュールの外部に設けられている。
【００３１】
第２基準電圧源２１は、正の第２基準電圧Ｖｒ２を出力する。第２基準電圧源２１は、図示はしないが、例えば、出力電圧Ｖｏと内部グランドＧとの間に、ツェナー電流設定用の抵抗と直列接続された状態で配設されたツェナーダイオード（ツェナー電圧が第２基準電圧Ｖｒ２となるツェナーダイオード）で構成することができる。
【００３２】
第２直列回路２２は、可変抵抗２２ａ（抵抗値Ｒａｄｊ）と第２抵抗２２ｂ（抵抗値Ｒ２２ｂ）とが直列接続されて構成されている。また、第２直列回路２２の両端間には、可変抵抗２２ａ側が高電位となる状態で第２基準電圧Ｖｒ２が印加されている。また、第２直列回路２２は、可変抵抗２２ａと第２抵抗２２ｂとの接続点Ｐ１が第３抵抗２３（抵抗値Ｒ２３）を介して電圧変換部４および電圧安定回路部５を含んで構成されるモジュールのＴＲＭ端子、さらには誤差増幅器１３の非反転入力端子に接続されている。この構成により、第２直列回路２２は、接続点Ｐ１に生じる調整電圧Ｖａを、第３抵抗２３を介して誤差増幅器１３の非反転入力端子に出力する。この調整電圧Ｖａは、上記したように、第１直列回路１２の第１基準電圧源１２ｂから出力される第１基準電圧Ｖｒ１と合成されて、出力設定電圧Ｖｂとして誤差増幅器１３の非反転入力端子に出力（印加）される。
【００３３】
次に、電源装置１の動作について説明する。
【００３４】
図１に示す電源装置１の電圧調整回路部６では、第２直列回路２２が、第２基準電圧源２１からの第２基準電圧Ｖｒ２に基づいてその接続点Ｐ１に調整電圧Ｖａを生成すると共に、第３抵抗２３を介して電圧安定回路部５におけるＴＲＭ端子（本例では、実質的に誤差増幅器１３の非反転入力端子）に出力する。また、第２直列回路２２は、可変抵抗２２ａに対する調整操作に応じて（つまり、調整操作によって設定された可変抵抗２２ａの抵抗値Ｒａｄｊに応じて）、接続点Ｐ１に生成する調整電圧Ｖａの電圧値を変更する。
【００３５】
電圧調整回路部６から電圧安定回路部５に出力されている調整電圧Ｖａは、電圧安定回路部５において、第１抵抗１２ａを介して誤差増幅器１３の非反転入力端子に出力されている第１基準電圧源１２ｂの第１基準電圧Ｖｒ１と合成されて、出力設定電圧Ｖｂとして誤差増幅器１３の非反転入力端子に印加される。この場合、調整電圧Ｖａは、式（１）のように表され、また出力設定電圧Ｖｂは、式（２）のように表される。
【００３６】
Ｖａ＝（Ｖｒ２／Ｒａｄｊ＋Ｖｒ１／（Ｒ１２ａ＋Ｒ２３））／（１／Ｒａｄｊ＋１／Ｒ２２ｂ＋１／（Ｒ１２ａ＋Ｒ２３））・・・（１）
Ｖｂ＝Ｖｒ１＋Ｒ１２ａ×（（Ｖａ−Ｖｒ１）／（Ｒ１２ａ＋Ｒ２３））・・・（２）
【００３７】
電圧安定回路部５では、電圧検出部１１が、出力電圧Ｖｏを検出して、検出電圧Ｖｖ（＝Ｖｏ×Ｒ１１ａ／（Ｒ１１ａ＋Ｒ１１ｂ））を出力する。また、誤差増幅器１３が、入力される検出電圧Ｖｖと出力設定電圧Ｖｂの差分に応じて変化する誤差電圧Ｖｅｒを出力する。また、スイッチング制御部１４が、この誤差電圧Ｖｅｒに基づいて駆動信号Ｓｄを生成して、電圧変換部４のスイッチング素子４ａに出力することにより、検出電圧Ｖｖと出力設定電圧Ｖｂの差分が減少するようにスイッチング素子４ａのスイッチング動作を制御する。
【００３８】
具体的には、検出電圧Ｖｖが出力設定電圧Ｖｂよりも低いときには、スイッチング制御部１４が、誤差電圧Ｖｅｒに基づいて両電圧Ｖｖ，Ｖｂの差分が減少するように、電圧変換部４のスイッチング素子４ａを制御して、出力電圧Ｖｏを上昇させる。一方、検出電圧Ｖｖが出力設定電圧Ｖｂよりも高いときには、スイッチング制御部１４が、誤差電圧Ｖｅｒに基づいて両電圧Ｖｖ，Ｖｂの差分が減少するように、電圧変換部４のスイッチング素子４ａを制御して、出力電圧Ｖｏを低下させる。
【００３９】
この結果、電源装置１では、電圧安定回路部５により、検出電圧Ｖｖが出力設定電圧Ｖｂと一致するように、出力電圧Ｖｏが制御される。これにより、出力電圧Ｖｏは、出力設定電圧Ｖｂに対応した目標電圧に設定される（目標電圧で安定化させられる）。この場合、Ｖｖ＝Ｖｂが成り立つことから、式（３）が成り立つ。
Ｖｏ×Ｒ１１ａ／（Ｒ１１ａ＋Ｒ１１ｂ）
＝Ｖｒ１＋Ｒ１２ａ×（Ｖａ−Ｖｒ１）／（Ｒ１２ａ＋Ｒ２３）・・・（３）
【００４０】
したがって、この式（３）から、目標電圧に安定化されているときの出力電圧Ｖｏは、式（４）のように表される。
Ｖｏ＝（Ｒ１１ａ＋Ｒ１１ｂ）／Ｒ１１ａ×（Ｖｒ１＋Ｒ１２ａ×（Ｖａ−Ｖｒ１）／（Ｒ１２ａ＋Ｒ２３））・・・（４）
なお、Ｖａは式（１）で表されるものである。
【００４１】
この電源装置１では、電圧調整回路部６の各構成要素のパラメータ値（主として、第２基準電圧源２１の第２基準電圧Ｖｒ２、可変抵抗２２ａの抵抗値Ｒａｄｊの最大値および第２抵抗２２ｂの抵抗値Ｒ２２ｂ）を適切な値に規定することにより、抵抗値Ｒａｄｊを変化させることで、この式（４）で表される出力電圧Ｖｏを、図２に示すように調整することが可能となっている。具体的には、電源装置１では、抵抗値ＲａｄｊがゼロΩのときに最も高くなり（Ｖｏｍａｘとなり）、抵抗値ＲａｄｊをゼロΩから増加させるにつれて急速に低下し、その後、定格出力電圧（ＤＣ２８Ｖ）を下回った当たりから、その低下率が緩やかに減少して、抵抗値Ｒａｄｊが最大のときに最も低くなる（Ｖｏｍｉｎとなる）ように出力電圧Ｖｏを変化させることが可能となっている。
【００４２】
また、電源装置１では、この出力電圧ＶｏのＶｏｍａｘは、第２基準電圧源２１の第２基準電圧Ｖｒ２に応じて任意の値に規定することができる（具体的には、第２基準電圧Ｖｒ２を高くすることで高くすることができ、第２基準電圧Ｖｒ２を低くすることで低くすることができる）。また、出力電圧ＶｏのＶｏｍｉｎは、第２抵抗２２ｂの抵抗値Ｒ２２ｂに応じて、出力電圧ＶｏのＶｏｍａｘとはほぼ独立して、任意の値に規定することができる（具体的には、抵抗値Ｒ２２ｂを大きくすることで高くすることができ、抵抗値Ｒ２２ｂを小さくすることで低くすることができる）。
【００４３】
つまり、この電源装置１では、電圧調整回路部６における可変抵抗２２ａの抵抗値Ｒａｄｊを調整することで、出力電圧Ｖｏを定格電圧ＤＣ２８Ｖよりも低い電圧範囲（図２において２本の破線で挟まれる電圧範囲）内の任意の電圧に設定することを可能としつつ、過電圧保護回路１５の動作チェックのために可変抵抗２２ａの抵抗値Ｒａｄｊを一時的にゼロΩまたはその近傍の値まで小さくしたときには、出力電圧Ｖｏを定格電圧ＤＣ２８Ｖよりも十分に高い電圧（定格出力電圧の１．３倍〜１．５倍以上の電圧）まで上昇させることが可能となっている。
【００４４】
このように、この電源装置１によれば、第２基準電圧源２１および第２直列回路２２を含んで構成された電圧調整回路部６におけるこの第２直列回路２２を構成する可変抵抗２２ａの抵抗値Ｒａｄｊを調整することで、電圧安定回路部５内の誤差増幅器１３の非反転入力端子に印加される出力設定電圧Ｖｂを調整可能にしたことにより、出力電圧Ｖｏを定格電圧ＤＣ２８Ｖよりも低い電圧範囲内の任意の電圧に設定し得るようにしつつ、過電圧保護回路１５の動作チェックの際には、可変抵抗２２ａの抵抗値Ｒａｄｊを一時的にゼロΩまたはその近傍の値まで小さくするだけで、過電圧保護回路１５の動作チェックを実行することができる。したがって、この電源装置１によれば、電源装置１単体で過電圧保護回路１５の動作チェックを実行することができるため、従来の電源装置とは異なり、過電圧保護回路１５の動作チェックを実行するための電圧出力装置を別途用意する手間を省くことができる。
【００４５】
また、この電源装置１によれば、電圧変換部４および電圧安定回路部５で構成されるモジュールの外部に電圧調整回路部６が設けられているため、電圧調整回路部６のみを調整すれば、ＴＲＭ端子を介して電圧安定回路部５に出力設定電圧Ｖｂを印加することができる。このため、モジュール化された電圧変換部４や電圧安定回路部５を設計変更することなく、出力電圧Ｖｏを容易に調整することができる。
【００４６】
以上、本発明の一実施形態の電源装置について説明したが、上記実施の形態の説明に限定されず種々の変形実施が可能である。
【００４７】
例えば、上記の電源装置１では、電圧調整回路部６が第２直列回路２２の接続点Ｐ１に生成される調整電圧Ｖａを抵抗２３を介して電圧安定回路部５のＴＲＭ端子に出力して第１基準電圧Ｖｒ１と合成する構成を採用しているが、この構成に限定されるものではない。例えば、図示はしないが、電圧調整回路部６が第２直列回路２２の接続点Ｐ１に生成される調整電圧Ｖａを抵抗２３を介さずに電圧安定回路部５のＴＲＭ端子に直接出力して第１基準電圧Ｖｒ１と合成する構成を採用することもできる。
【００４８】
また、電圧安定回路部５内の第１基準電圧源１２ｂで生成される第１基準電圧Ｖｒ１が電圧安定回路部５の外部に出力されている構成のときには、この第１基準電圧Ｖｒ１を第２基準電圧Ｖｒ２として第２直列回路２２の両端間に印加する構成を採用して、第２基準電圧源２１を省く（第２基準電圧源２１を第１基準電圧源１２ｂで代用する）構成とすることもできる。また、この構成においては、第１基準電圧Ｖｒ１を昇圧する昇圧回路を別途設けて、この昇圧した電圧を第２基準電圧Ｖｒ２として第２直列回路２２の両端間に印加する構成とすることもできる。
【００４９】
また、パワーモジュールによっては、例えば上記したＰＨ−Ａ２８０シリーズのように、図示はしないが、電圧安定回路部５内において、第１直列回路１２に並列に抵抗が接続されている構成（つまり、ＴＲＭ端子と内部グランドＧとの間にこの抵抗が配設されている構成）のものも存在しているが、この構成の電圧安定回路部５を有するパワーモジュールを含む電源装置においても、電圧調整回路部６からＴＲＭ端子に調整電圧Ｖａを出力する構成を採用することにより、上記した電源装置１と同等の効果を奏することができる。
【００５０】
また、電圧変換部４および電圧安定回路部５を１つのモジュールとして構成する例について説明したが、電圧変換部４および電圧安定回路部５を１つのモジュールとして構成しないようにすることもできる。
【符号の説明】
【００５１】
１  電源装置
２ａ，２ｂ  入力端子
３ａ，３ｂ  出力端子
４  電圧変換部
５  電圧安定回路部
６  電圧調整回路部
１１  電圧検出部
１２  第１直列回路
１２ａ  第１抵抗
１２ｂ  第１基準電圧源
１３  誤差増幅器
２１  第２基準電圧源
２２  第２直列回路
２２ａ  可変抵抗
２２ｂ  第２抵抗
Ｖａ  調整電圧
Ｖｂ  出力設定電圧（合成電圧）
Ｖｅｒ  誤差電圧
Ｖｉｎ  入力電圧
Ｖｏ  出力電圧
Ｖｒ１  第１基準電圧
Ｖｒ２  第２基準電圧
【図１】
2019106777.tif 000003
【図２】
2019106777.tif 000004
【図３】
2019106777.tif 000005